(57)【要約】【課題】丸鋼などを使用するテンションロッド構造で、跳出し屋根の片持ち基端部に不必要な応力を作用させることなく、跳出し屋根の跳出し先端部が下向き移動する際、テンションロッドの撓みを防止し得るテンションロッド構造の提供。【解決手段】片持ち支持による跳出し屋根３の跳出し先端部３ａと下方の基礎部５とに亘ってテンションロッド１０を配設して、跳出し先端部３ａの上向き移動を阻止する屋根のテンションロッド構造であって、跳出し先端部３ａの下向き移動時に、テンションロッド１０への圧縮力の作用を回避する圧縮力回避機構１５を備えている。【選択図】図２
2019052458.tif 000002
【特許請求の範囲】
【請求項１】
片持ち支持による跳出し屋根の跳出し先端部と下方の基礎部とに亘ってテンションロッドを配設して、前記跳出し先端部の上向き移動を阻止する屋根のテンションロッド構造であって、
前記跳出し先端部の下向き移動時に、前記テンションロッドへの圧縮力の作用を回避する圧縮力回避機構を備えている屋根のテンションロッド構造。
【請求項２】
前記圧縮力回避機構が、前記テンションロッドの下方部が挿通する挿通孔を有して前記基礎部に連設のロッド支持部材を備え、前記テンションロッドの下方部が前記挿通孔内を下向きに挿通移動することにより、当該テンションロッドへの圧縮力の作用を回避する請求項１に記載に屋根のテンションロッド構造。
【請求項３】
前記挿通孔が、前記ロッド支持部材を上下方向に貫通する貫通孔であり、前記テンションロッドが、当該貫通孔を貫通して下方にまで延出され、その延出端部に固定の抜止め部材と前記ロッド支持部材との間に圧縮ばねを介装する請求項２に記載の屋根のテンションロッド構造。
【請求項４】
前記テンションロッドが、その下方部において上方ロッド部位と下方ロッド部位との２本のロッド部位に分断され、それら上下のロッド部位をターンバックルで接続することで前記テンションロッドの長さが調整可能に構成される請求項１〜３のいずれか１項に記載の屋根のテンションロッド構造。
【請求項５】
前記圧縮力回避機構と前記ターンバックルが、床材の下方に配設される請求項４に記載の屋根のテンションロッド構造。
【発明の詳細な説明】
【技術分野】
【０００１】
本発明は、片持ち支持による跳出し屋根の跳出し先端部と下方の基礎部とに亘ってテンションロッドを配設して、前記跳出し先端部の上向き移動を阻止する屋根のテンションロッド構造に関する。
【背景技術】
【０００２】
このようなテンションロッド構造では、テンションロッドとして視覚的にあまり目立たない細い丸鋼などが使用され、その丸鋼などからなるテンションロッドの上端部が跳出し先端部に固定され、下端部が基礎部側に固定されるのが一般的な従来構造である。
ところが、テンションロッドとして細い丸鋼などが使用されるため、視覚的に目立たない反面、非常に撓み易いという特質がある。そのため、テンションロッドの上下両端部を共に固定する従来構造では、例えば、積雪により跳出し屋根の跳出し先端部が下向き移動すると、テンションロッドが撓むという不都合がある。そのテンションロッドの撓みを防止するには、テンションロッドに対して過度の初期張力を付与して対応することもできるが、その場合、跳出し屋根の片持ち基端部に不必要な応力が作用することになる。
ちなみに、片持ち支持による跳出し屋根において、跳出し先端部の強風時における上向き移動と積雪時における下向き移動に対応するため、跳出し先端部と基礎部とに亘って補助支柱を配設する技術も知られている。しかしながら、補助支柱を使用する構造では、その補助支柱として丈夫で目立ち易い鋼管などが使用されるので、撓み易い丸鋼を使用するテンションロッド構造とは範疇の異なる別異の技術となる（例えば、特許文献１参照）。
【先行技術文献】
【特許文献】
【０００３】
【特許文献１】特許第５９６６２４１号公報（特に段落［００２２］参照）
【発明の概要】
【発明が解決しようとする課題】
【０００４】
本発明の目的は、丸鋼などを使用するテンションロッド構造において、跳出し屋根の片持ち基端部に不必要な応力を作用させることなく、跳出し屋根の跳出し先端部が下向き移動する際、テンションロッドの撓みを防止し得るテンションロッド構造を提供することにある。
【課題を解決するための手段】
【０００５】
本発明の第１特徴構成は、片持ち支持による跳出し屋根の跳出し先端部と下方の基礎部とに亘ってテンションロッドを配設して、前記跳出し先端部の上向き移動を阻止する屋根のテンションロッド構造であって、前記跳出し先端部の下向き移動時に、前記テンションロッドへの圧縮力の作用を回避する圧縮力回避機構を備えている点にある。
【０００６】
本構成によれば、例えば、強風時において跳出し屋根の跳出し先端部が風にあおられて上方へ上向き移動しようとすると、跳出し先端部と基礎部とに亘って配設したテンションロッドが、その跳出し先端部の上向き移動を阻止することになる。
そして、例えば、積雪時において跳出し先端部が下向き移動しても、テンションロッドへの圧縮力の作用を回避する圧縮力回避機構を備えているので、テンションロッドに圧縮力が作用することはなく、したがって、跳出し屋根の片持ち基端部に不必要な応力を作用させることなく、テンションロッドの撓みを未然に防止することができる。
【０００７】
本発明の第２特徴構成は、前記圧縮力回避機構が、前記テンションロッドの下方部が挿通する挿通孔を有して前記基礎部に連設のロッド支持部材を備え、前記テンションロッドの下方部が前記挿通孔内を下向きに挿通移動することにより、当該テンションロッドへの圧縮力の作用を回避する点にある。
【０００８】
本構成によれば、圧縮力回避機構が、テンションロッドの下方部が挿通する挿通孔を有するロッド支持部材などで構成されるため、構造的に比較的簡単で施工も容易となる。
しかも、跳出し先端部が下向き移動すると、テンションロッドの下方部が、その下向き移動に追随して挿通孔内を下向きに挿通移動し、それによってテンションロッドへの圧縮力の作用を回避するので、跳出し先端部の下向き移動に際してのテンションロッドの撓み防止はより一層確実となる。
【０００９】
本発明の第３特徴構成は、前記挿通孔が、前記ロッド支持部材を上下方向に貫通する貫通孔であり、前記テンションロッドが、当該貫通孔を貫通して下方にまで延出され、その延出端部に固定の抜止め部材と前記ロッド支持部材との間に圧縮ばねを介装する点にある。
【００１０】
本構成によれば、ロッド支持部材に設けた貫通孔の下方に延出のテンションロッドに抜止め部材を固定し、その抜止め部材とロッド支持部材との間に圧縮ばねを介装する構成であるから、組み立て施工が容易である。
そして、テンションロッドに対する抜止め部材の固定位置を適宜設定することで、圧縮ばねのばね力調整を容易に行うことができ、特に抜止め部材としてテンションロッドに螺合のナットを使用する場合には、そのばね力の微調整も容易となる。
【００１１】
本発明の第４特徴構成は、前記テンションロッドが、その下方部において上方ロッド部位と下方ロッド部位との２本のロッド部位に分断され、それら上下のロッド部位をターンバックルで接続することで前記テンションロッドの長さが調整可能に構成される点にある。
【００１２】
本構成によれば、テンションロッドが、２本のロッド部位で構成されてターンバックルにより全体の長さが調整可能であるため、施工が簡単であるとともに、施工後におけるテンションロッドの長さ調整も簡単に行うことができる。
しかも、そのターンバックルは、テンションロッドの下方部に位置することになるので、テンションロッドの長さ調整作業を容易に行うことができる。
【００１３】
本発明の第５特徴構成は、前記圧縮力回避機構と前記ターンバックルが、床材の下方に配設される点にある。
【００１４】
本構成によれば、圧縮力回避機構とターンバックルが、共に床材の下方に配設されるので、外観的に煩雑にならずスッキリとした構成となり、更に、圧縮力回避機構やターンバックルの誤操作防止効果も期待できる。
【図面の簡単な説明】
【００１５】
【図１】跳出し屋根を備えたロビーの縦断斜視図
【図２】跳出し屋根を備えたロビーの縦断側面図
【図３】テンションロッド構造の要部の詳細を示す縦断側面図
【図４】テンションロッド構造の要部の作動を示す縦断側面図
【図５】テンションロッド構造の要部の詳細を示す横断平面図
【発明を実施するための形態】
【００１６】
本発明による屋根のテンションロッド構造の実施形態を図面に基づいて説明する。
本発明に係るテンションロッド構造は、例えば、図１および図２に示すように、建物１の前面に配置されるロビー２において、そのロビー２の跳出し屋根３の支持構造に適用される。
建物１は、図２に示すように、各種型鋼などの鉄骨からなる多数の躯体４などで構成されて多数の基礎部５上に設置され、それら基礎部５間には床スラブ６が配設され、床スラブ６上には床材７が敷設される。ロビー２の前面（正面）には、図１に示すように、跳出し屋根３の跳出し先端部３ａと床材７とに亘る透明な強化複層ガラス８が、ロビー２の前面に沿って横方向に複数枚配設され、図５に示すように、複層ガラス８の接続部位には、透明な強化ガラス製の控え壁９が配設される。なお、図示はしないが、跳出し屋根３の左右両側（図２における紙面の上面側と裏面側）にも同様の複層ガラスや控え壁が配設される。
【００１７】
ロビー２の跳出し屋根３は、図２に示すように、建物１の躯体４に対して、その基端部３ｂが片持ち支持され、その先端部である跳出し先端部３ａと下方の基礎部５とに亘ってテンションロッド１０が配設される。テンションロッド１０は、跳出し屋根３及びその先端部３ａが強風にあおられて吹上げられ、上方へ上向き移動しようとするのを阻止するためのもので、例えば、直径１５ｍｍ程度の丸鋼あるいは適宜線材などで構成される。すなわち、テンションロッド１０としては、外観上の観点から視覚的にあまり目立たず、そのため、非常に撓み易い細い材料が使用され、図５に示すように、平面視において、各控え壁９の両側に１本ずつ配設される。
各テンションロッド１０は、図２に示すように、跳出し先端部３ａと下方に位置する基礎部５の直上方との間に亘って配設され、テンションロッド１０の上端部は、跳出し先端部３ａの天井材などを貫通し、その貫通上端部にダブルナット１１を螺合することにより跳出し先端部３ａに取り付けられる。
【００１８】
各テンションロッド１０の下端部は、図５に示すように、床材７を上下方向に貫通して下方へ延出され、更に、図３および図４に示すように、床材７の下方に配設された板状のロッド支持部材１２に穿設の貫通孔１３を上下方向に貫通して下方へ延出される。このロッド支持部材１２は、断面形状「コ」の字状のロッド支持体１４の上面部分を構成する板状の部材で、当該ロッド支持体１４などを介して建物１の基礎部５に連設され、この貫通孔１３を有するロッド支持部材１２が、後に詳しく説明するように、テンションロッド１０への圧縮力の作用を回避する圧縮力回避機構１５の一部を構成する。
ロッド支持体１４は、図２および図４に示すように、テンションロッド１０に対応する所定の箇所において、床材７の下方で基礎部５に沿って配設される空調用ダクト１６の内側に収納配置され、各ロッド支持体１４と空調用ダクト１６が、アンカーボルト１７によって基礎部５に固定され、結果的に、ロッド支持部材１２が、ロッド支持体１４や空調用ダクト１６を介して建物１の基礎部５に連設される。
【００１９】
各テンションロッド１０は、図４に示すように、その下方部において上方ロッド部位１０ａと下方ロッド部位１０ｂとの２本のロッド部位に分断され、それら上下のロッド部位１０ａ、１０ｂがターンバックル１８で接続される。
つまり、各テンションロッド１０は、その上端部が跳出し先端部３ａに取り付けられた状態で、跳出し先端部３ａから垂下して床材７とロッド支持部材１２の間で終端する上方ロッド部位１０ａと、ロッド支持部材１２の貫通孔１３を上下方向に貫通する下方ロッド部位１０ｂとの２本のロッド部位に分断され、上方ロッド部位１０ａの下端部と下方ロッド部位１０ｂの上端部が、ターンバックル１８にそれぞれ螺合される。そして、上方ロッド部位１０ａのターンバックル１８の上方近傍には、例えば、溶接により回転阻止用ナット１９が固着されていて、各種の工具でそのナット１９を挟持した状態でターンバックル１８を回転操作することにより、各テンションロッド１０の全体長さが自由に調整できるように構成される。
【００２０】
各テンションロッド１０を構成する下方ロッド部位１０ｂは、図３および図４に示すように、ロッド支持部材１２の貫通孔１３を貫通して下方にまで延出され、その下方への延出端部には、コイル状の圧縮ばね２０が外嵌され、更に、抜止め部材としての抜止め用ナット２１とロックナット２２が螺合される。つまり、圧縮ばね２０がロッド支持部材１２の下面と抜止め用ナット２１との間に介装される。そのため、跳出し屋根３の跳出し先端部３ａが上向き移動しようとすると、圧縮ばね２０の弾性力を有効に利かせた状態で、テンションロッド１０により跳出し先端部３ａの上向き移動を阻止し、跳出し先端部３ａが下向き移動する際には、圧縮ばね２０の弾性力を有効に利用してテンションロッド１０の下向き移動を許容する。それによってテンションロッド１０への圧縮力の作用を回避するのであり、貫通孔１３を備えたロッド支持部材１２、圧縮ばね２０、抜止め用ナット２１などが、テンションロッド１０への圧縮力回避機構１５を構成する。
そして、空調用ダクト１６の上方開口部には、図４および図５に示すように、空調用吹出し口２３を一体的に備えた点検用の蓋体２４が取り外し自在に設置される。このような蓋体２４は、図１に示すように、空調用ダクト１６に沿って複数個設置され、必要な箇所の蓋体２４を取り外すことにより、空調用ダクト１６の内部、更には、圧縮力回避機構１５の保守点検用の点検口として使用される。
【００２１】
つぎに、本発明による屋根のテンションロッド構造に関し、テンションロッド１０と圧縮力回避機構１５の作動について説明する。
まず、初期設定に際しては、各テンションロッド１０の下方ロッド部位１０ｂに螺合の抜止め用ナット２１とロックナット２２を回転操作して、抜止め用ナット２１の位置を決める。更に、各テンションロッド１０の上方ロッド部位１０ａに固着の回転阻止用ナット１９を適宜工具で挟持し、上方ロッド部位１０ａと下方ロッド部位１０ｂを接続するターンバックル１８を回転操作して、各テンションロッド１０の全体の長さを適切に調整するとともに、各テンションロッド１０に作用する圧縮ばね２０の初期弾性力も調整する。ただし、この初期設定に関しては、先にターンバックル１８の回転操作によりテンションロッド１０の長さを調整した後、抜止め用ナット２１の回転操作で圧縮ばね２０の弾性力を調整することも可能である。
このように、ターンバックル１８の回転操作と抜止めナット２１の回転操作などにより、テンションロッド１０の長さ調整、圧縮ばね２０の初期弾性力調整、更には、跳出し屋根３の水平調整など、必要な初期設定を行う。
【００２２】
この設定状態において、跳出し屋根３の跳出し先端部３ａが強風にあおられて吹上げられ、上方へ上向き移動しようとすると、図４の（ａ）に示すように、圧縮ばね２０が縮みながら、跳出し先端部３ａに取り付けられた各テンションロッド１０が、跳出し先端部３ａの上向き移動を阻止する。
逆に、積雪により跳出し先端部３ａが下向き移動すると、テンションロッド１０の自重や圧縮ばね２０の弾性復元力によって、図４の（ｂ）に示すように、圧縮ばね２０が伸びながら、各テンションロッド１０が、跳出し先端部３ａの下向き移動に追随し、図中矢印で示すように、ロッド支持部材１２の貫通孔１３を貫通して下方へ移動する。つまり、各圧縮力回避機構１５が各テンションロッド１０への圧縮力の作用を回避し、各テンションロッド１０が撓むのを防止する。
【００２３】
〔別実施形態〕
（１）先の実施形態では、テンションロッド１０が、上方と下方の２本のロッド部位１０ａ、１０ｂに分断されてターンバックル１８で接続された例を示したが、特にテンションロッド１０の全長を調整する必要がなければ、テンションロッド１０を１本のロッドで構成することもでき、その場合には、ターンバックル１８や回転阻止用ナット１９は不要となる。
また、そのテンションロッド１０の下方部が、ロッド支持部材１２の下方にまで延出され、その延出端部に外嵌された圧縮ばね２０を抜止め部材の一例である抜止め用ナット２１により保持する構成を示したが、その抜止め用ナット２１に代えて、例えば、テンションロッド１０の軸心方向に沿って位置変更固定自在な種々の部材を抜止め部材として使用することもできる。更には、溶接によって種々の部材をテンションロッド１０に固着し、それを抜止め部材として実施することもでき、抜止め部材の具体的な構成については適宜変更可能である。
【００２４】
（２）先の実施形態では、テンションロッド１０の下方部が、ロッド支持部材１２に穿設の貫通孔１３を貫通して下方へ延出する構成を示したが、その貫通孔１３に代えて、下方が閉鎖した有底の挿通孔を設けて実施することもできる。すなわち、テンションロッド１０の下方部が、有底の挿通孔内に挿入されて、跳出し先端部３ａの下向き移動時に、そのテンションロッド１０の下方部が挿通孔内を下向きに挿通移動することによって、テンションロッド１０への圧縮力の作用を回避するように構成することもできる。その場合、挿通孔の底部とテンションロッド１０との間にテンションロッド１０を下方へ引っ張る引張りばねを介装するのが好ましいが、引張りばねを使用せずに実施することもできる。
同様に、先の実施形態で示した圧縮力回避機構１５においても、圧縮ばね２０を使用せずに実施することができ、このように、テンションロッド１０への圧縮力の作用を回避する圧縮力回避機構１５に関しては、種々の改変が可能であるとともに、種々の構成を採用することができる。更に、その圧縮力回避機構１５の配設箇所に関しても、特に床材７の下方に限るものではなく、周辺の状況に応じて床材７の上方に適宜配設することも可能である。
【符号の説明】
【００２５】
３        跳出し屋根
３ａ      跳出し先端部
５        基礎部
７        床材
１０      テンションロッド
１０ａ    上方ロッド部位
１０ｂ    下方ロッド部位
１２      ロッド支持部材
１３      貫通孔
１５      圧縮力回避機構
１８      ターンバックル
２０      圧縮ばね
２１      抜止め部材
【図１】
2019052458.tif 000003
【図２】
2019052458.tif 000004
【図３】
2019052458.tif 000005
【図４】
2019052458.tif 000006
【図５】
2019052458.tif 000007